(57)【要約】【課題】本発明は、傾斜地の斜面に対して簡単に施工することができるとともに安定した状態に設置することが可能な組ブロック及びそれを用いた連鎖状構造物を提供することを目的とするものである。【解決手段】組ブロックは、直角に折れ曲がるように形成された基体部１の両端部に第一延設部２及び第二延設部３を直交するように接続した構造を有する。基体部１は、ｘ軸方向に沿う第一基体部分１０及びｙ軸方向に沿う第二基体部分１１が互いに直角に接続して形成されており、内部にｚ軸方向を深さ方向とする溝１２が形成されている。第一延設部２は、開口面からｚ軸方向に沿って上方に延設されており、延設部分２０の内部にはｙ軸方向を深さ方向とする溝２１が形成されている。第二延設部３は、底面からｚ軸方向に沿って下方に延設されており、延設部分３０の内部は有底空間３１が形成されている。【選択図】図１
2011017206.tif 000002
【特許請求の範囲】
【請求項１】
直交座標系のｘ軸方向及びｙ軸方向に沿って折れ曲がるように形成された基体部と、前記基体部のｘ軸方向の端部においてｚ軸方向に沿って延設された第一延設部と、前記基体部のｙ軸方向の端部において前記第一延設部とは反対方向に延設された第二延設部とを備え、前記第一延設部及び前記第二延設部の間のｘ軸方向の間隔は、前記第一延設部及び前記第二延設部のｘ軸方向のそれぞれの幅を加算した幅よりも広く設定されており、前記第一延設部及び前記第二延設部の間のｙ軸方向の間隔は、前記第一延設部及び前記第二延設部のｙ軸方向のそれぞれの幅を加算した幅よりも広く設定されていることを特徴とする組ブロック。
【請求項２】
前記基体部はｚ軸方向を深さ方向とする容器状に形成されており、前記第一延設部はｙ軸方向を深さ方向とする溝状断面を有しており、前記第二延設部はｚ軸方向を深さ方向とする容器状に形成されていることを特徴とする請求項１に記載の組ブロック。
【請求項３】
前記基体部並びに前記第一及び第二延設部の断面形状の外形寸法は、同じサイズに設定されていることを特徴とする請求項１又は２に記載の組ブロック。
【請求項４】
請求項１から３のいずれかに記載の組ブロックを複数個連鎖状に組み合わせて地面に設置する連鎖状構造物であって、地面に対して前記第一延設部が上向きになるように各組ブロックを設置し、隣接する組ブロックの一方の組ブロックの前記第二延設部を他方の組ブロックの前記基体部を跨ぐように組み合わせて他方の組ブロックの前記基体部に一方の組ブロックの前記第二延設部を密着させるとともに他方の組ブロックの前記第一延設部に一方の組ブロックの前記基体部を密着させるように係合させることを特徴とする連鎖状構造物。
【発明の詳細な説明】
【技術分野】
【０００１】
本発明は、傾斜地や砂地等に連鎖状に組み合せて設置するための組ブロック及び組ブロックを組み合せて構築した連鎖状構造物に関する。
【背景技術】
【０００２】
樹木の生育が進まない山地や風倒木を除去した後の山肌等の自然斜面は、降雨による浸食、風化、凍結等により表層土砂の流出や崩落を繰り返し、長雨や集中豪雨によって斜面が大規模に浸食崩壊するおそれがある。そのため、こうした斜面の安定化を図り、事故や災害を未然に防止するための防災対策が必要である。
【０００３】
従来より斜面の崩壊防止対策としては、斜面に植生を行う工法や構造物による工法が施工されている。植生による工法は、植物の種子を斜面に播いたり、樹木の苗木を植栽するといった方法で行われる。植物の生育基盤を確保するために必要に応じて丸太等を斜面に施工する場合もある。
【０００４】
構造物による工法では、斜面に補強用の金網を設置してモルタルやコンクリートを吹き付ける吹き付け工法、斜面にプレキャスト枠固定し足り鉄筋コンクリート枠を打設する工法といったものが挙げられる。これ以外にも、斜面を階段状に切り付け作業を行って丸太等で土留柵を施工したり、直方体状の金属籠に中詰め材を充填して土留擁壁を構築することが行われている。
【０００５】
こうした斜面の安定化工法としては、例えば、特許文献１では、傾斜面の地表面に浅く埋設される枠体と、この枠体に水平方向に一体に架設された水平方向に細長い短冊状の複数の土受板とを備え、各土受板は、枠体が形成する面からその幅寸法だけ斜め上方に突出して設けられることにより、枠体を傾斜した地表面に定置したとき地表面との間に水平方向の樋状の凹所を形成する傾斜面安定化ブロックを用いる工法が記載されている。また、特許文献２では、通常の法張り施工によるだけで植生機能を付与できる張りブロックとして、開口部を有する盤状体及び開口部の下部を覆う袋状覆い部を設けた張りブロックが記載されている。また、特許文献３では、透水構造の法枠ブロックを用いて斜面を流下する表面水や斜面から湧出する地下水を集水する排水樋を構成する点が記載されている。また、特許文献４では、屈曲可能なプラスチック材の中央部に複数の貫通孔を設け、中央部の両側に流水ガイド用凸部を設けた被覆材を釘状固形材で斜面に固定して被覆し、被覆材により降雨の地下浸透と地表流下を振り分け、山崩れ、土砂崩れの原因となる浸食水流を予防する工法が記載されている。特許文献５では、切盛土法勾配にプラスチック製ブロックを張り付け、プラスチック製ブロックの張り付けに前後して杭をプラスチック製ブロックの孔から打ち込み、モルタルを前記孔に充填固化してプラスチッチック製ブロックを杭の根本に固定し、切盛土法勾配を被覆したプラスチッチック製ブロックにモルタル塗工を施す法面保護工法が記載されている。
【先行技術文献】
【特許文献】
【０００６】
【特許文献１】特開平１１−１９３５３１号公報
【特許文献２】実開平５−６１２１８号公報
【特許文献３】実開平５−８３０４４号公報
【特許文献４】実開平７−２３０３１号公報
【特許文献５】特開平１０−３０６４４９号公報
【発明の概要】
【発明が解決しようとする課題】
【０００７】
上述した先行技術では、足場の悪い傾斜地の斜面で施工するために重量の大きいブロックを使用することは難しく、取り扱いが簡単な小型ブロックを多数使用する工法が採られている。しかしながら、小型ブロックを安定した状態に施工するためには、基礎固めにコンクリートを打設する必要があり、さらにコンクリートの打設に必要な型板の足場の構築や基礎工事を行う際の掘削の際に出る土砂の処理といった作業を行わなければならず、工程が複雑化して工期が長期にわたりコスト負担も増加するようになる。
【０００８】
そこで、本発明は、傾斜地の斜面に対して簡単に施工することができるとともに安定した状態に設置することが可能な組ブロック及びそれを用いた連鎖状構造物を提供することを目的とするものである。
【課題を解決するための手段】
【０００９】
本発明に係る組ブロックは、直交座標系のｘ軸方向及びｙ軸方向に沿って折れ曲がるように形成された基体部と、前記基体部のｘ軸方向の端部においてｚ軸方向に沿って延設された第一延設部と、前記基体部のｙ軸方向の端部において前記第一延設部とは反対方向に延設された第二延設部とを備え、前記第一延設部及び前記第二延設部の間のｘ軸方向の間隔は、前記第一延設部及び前記第二延設部のｘ軸方向のそれぞれの幅を加算した幅よりも広く設定されており、前記第一延設部及び前記第二延設部の間のｙ軸方向の間隔は、前記第一延設部及び前記第二延設部のｙ軸方向のそれぞれの幅を加算した幅よりも広く設定されていることを特徴とする。さらに、前記基体部はｚ軸方向を深さ方向とする容器状に形成されており、前記第一延設部はｙ軸方向を深さ方向とする溝状断面を有しており、前記第二延設部はｚ軸方向を深さ方向とする容器状に形成されていることを特徴とする。さらに、前記基体部並びに前記第一及び第二延設部の断面形状の外形寸法は、同じサイズに設定されていることを特徴とする。
【００１０】
本発明に係る連鎖状構造物は、上記の組ブロックを複数個連鎖状に組み合わせて地面に設置する連鎖状構造物であって、地面に対して前記第一延設部が上向きになるように各組ブロックを設置し、隣接する組ブロックの一方の組ブロックの前記第二延設部を他方の組ブロックの前記基体部を跨ぐように組み合わせて他方の組ブロックの前記基体部に一方の組ブロックの前記第二延設部を密着させるとともに他方の組ブロックの前記第一延設部に一方の組ブロックの前記基体部を密着させるように係合させることを特徴とする。
【発明の効果】
【００１１】
上記のような構成を有することで、基体部がｘ軸及びｙ軸方向に沿って直角に折れ曲がるように形成されて両端部からｚ軸方向に第一及び第二延設部が互いに反対方向に延設されているので、傾斜面に設置した場合に基体部をほぼ水平に設定して第二延設部を下向きにすれば、安定した状態で設置することができる。
【００１２】
また、第一延設部及び第二延設部の間のｘ軸方向の間隔を、第一延設部及び第二延設部のｘ軸方向のそれぞれの幅を加算した幅よりも広く設定し、第一延設部及び第二延設部の間のｙ軸方向の間隔を、第一延設部及び第二延設部のｙ軸方向のそれぞれの幅を加算した幅よりも広く設定することで、複数の組ブロックを連鎖状に組み合わせる場合、組ブロックの第二延設部を、隣接する組ブロックの基体部を跨ぐように組み合わせて第一延設部と係合させることができる。このように隣接する組ブロックの第一延設部及び第二延設部を順次係合させて連鎖状に組み合せておけば、各組ブロックの設置状態がずれることなく長期間にわたって安定した状態の連鎖状構造物を構築することが可能となる。
【００１３】
また、基体部並びに第一及び第二延設部は内部を空洞化することで、組ブロックを軽量化することができ、設置のための作業負担を軽減することができる。また、基体部及び第二延設部を容器状に形成することで、設置後に雨水等を貯水して周囲の植物環境に対する保水機能を持たせることが可能となる。
【図面の簡単な説明】
【００１４】
【図１】本発明に係る実施形態に関する外観斜視図である。
【図２】ｘ軸方向、ｙ軸方向及びｚ軸方向から見た図である。
【図３】組ブロックを複数個連鎖状に組み合わせた連鎖状構造物に関する斜視図及び上面図である。
【図４】連鎖状構造物の組合せ方法に関する説明図である。
【図５】傾斜地に組ブロックを連鎖状に組み合わせた連鎖状構造物を施工した例に関する模式図である。
【図６】砂漠等の平地に連鎖状構造物を施工した例に関する模式図である。
【図７】組ブロックを形成するための中型及び型枠に関する分解斜視図である。
【図８】組ブロックを成形する工程に関する説明図である。
【図９】組ブロックの変形例に関する外観斜視図である。
【図１０】図９に示す組ブロックを積み上げた連鎖状構造物に関する外観斜視図である。
【発明を実施するための形態】
【００１５】
以下、本発明に係る実施形態について添付図面を参照して説明する。図１は、本発明に係る実施形態に関する外観斜視図であり、図２は、図１に示す実施形態をそれぞれｘ軸方向（図２（ａ））、ｙ軸方向（図２（ｂ））及びｚ軸方向（図２（ｃ））から見た図である。
【００１６】
組ブロックは、直角に折れ曲がるように形成された基体部１の両端部に第一延設部２及び第二延設部３を直交するように接続した構造を有している。
【００１７】
基体部１は、ｘ軸方向に沿う第一基体部分１０及びｙ軸方向に沿う第二基体部分１１が互いに直角となるように接続して形成されており、内部には全長にわたってｚ軸方向を深さ方向とする溝１２が形成されている。第一及び第二基体部分の軸方向の長さＬは等しくなるように設定されている。基体部１は、鉄筋コンクリート製で全体が同じ厚さに設定され断面はＵ字溝状になっており、断面形状の外形は正方形状に設定されている。基体部１の上面（ｚ軸方向）は開口し、両端部（ｘ軸方向及びｙ軸方向の端部）が閉鎖されて容器状に形成されている。
【００１８】
第一延設部２は、第一基体部分１０のｘ軸方向端部において開口面からｚ軸方向に沿って上方に延設されており、延設部分２０の内部にはｙ軸方向を深さ方向とする溝２１が形成されている。第一延設部２は、鉄筋コンクリート製で全体が基体部１と同じ厚さに設定され断面はＵ字溝状になっており、断面形状の外形は基体部１と同じ正方形状に形成されている。第一延設部２の側面（ｙ軸方向）及び両端部（ｚ軸方向）は開口しており、下端側において溝２１が溝１２に連通している。
【００１９】
第二延設部３は、第二基体部分１１のｙ軸方向端部において底面からｚ軸方向に沿って下方に延設されており、延設部分３０の内部は有底空間３１が形成されている。第二延設部３は、鉄筋コンクリート製で全体が基体部１と同じ厚さに設定され断面は枠状になっており、断面形状の外形は基体部１と同じ正方形状に形成されている。第二延設部３の上面は開口しており、有底空間３１が溝１２に連通している。
【００２０】
このように各部の内部が空洞に形成されているので、組ブロックを軽量化することができる。そして、空洞部分には雨水を貯水しておくことができ、貯水した水に吸水性の布材の一方の端部を浸漬して他方の端部を地面に垂らしておけば、周囲の植物に対して水分を持続的に供給することができる。また、施工の際に掘り出された土砂を空洞部分に充填すれば、土砂の処理を不要とすることもできる。
【００２１】
また、組ブロックの重心に対して形状が非対称性となっているので、急斜面に設置しても転動しにくい構造となっており、後述するように組ブロックを連鎖状に組み合わせて係合することで、土砂崩れ等に対しても十分耐久性を備える構造となる。
【００２２】
第一延設部２及び第二延設部３のｚ軸方向の長さは、基体部１のｚ軸方向の長さの１．５倍に設定されている。また、第一延設部２及び第二延設部３のｘ軸方向の間の間隔Ｄ１は、第一延設部２及び第二延設部３のそれぞれのｘ軸方向の長さを加算した長さよりも長くなるように設定されており、第一延設部２及び第二延設部３のｙ軸方向の間の間隔Ｄ２は、第一延設部２及び第二延設部３のそれぞれのｙ軸方向の長さを加算した長さよりも長くなるように設定されている。このように各部の長さが設定されているので、後述するように組ブロックを連鎖状に組み合わせることができる。
【００２３】
図３は、図１に示す組ブロックを複数個連鎖状に組み合わせた連鎖状構造物に関する斜視図（図３（ａ））及び上面図（図３（ｂ））であり、図４は、連鎖状構造物の組合せ方法に関する説明図である。
【００２４】
組ブロックは、第二延設部３を、隣接する組ブロックの第一基体部分１０を跨ぐように設置し、第一基体部分１１の底面が、隣接する組ブロックの第一基体部分１０の上面及び第一延設部２の側面に当接し、第二延設部３の側面が、隣接する組ブロックの第一基体部分１０の側面に当接するように係合させて組み合わせる。
【００２５】
こうして複数の組ブロックを連鎖状に組み合わせていけば、１つの組ブロックに対して、第一基体部分１０には、隣接する組ブロックが跨ぐように上から係合し、第二基体部分１１には、隣接する組ブロックが下方から支持するように係合し、第一基体部分１０及び第二基体部分１１の間には、隣接する組ブロックの第二延設部及び第一延設部が両側から挿入されているので、連鎖状構造物を安定した状態で組み立てることができる。
【００２６】
また、組み立てる場合には、図４に示すように、設置した組ブロックに上方から組ブロックを積み上げるように組み立てていくことができ、連鎖状構造物を簡単に施工することが可能となる。
【００２７】
図５は、傾斜地Ｇに組ブロックを連鎖状に組み合わせた連鎖状構造物Ｂを施工した例に関する模式図である。この例では、傾斜地Ｇの最大傾斜方向Ｓに対して所定角度傾いた方向に組ブロックを設置しており、各組ブロックの基体部１がほぼ水平となるように設置している。そして、第一延設部２が上方に第二延設部３が下方に配置されるように設置され、第二延設部３の下端が傾斜面に接地して安定した状態で傾斜面に支持される。
【００２８】
また、各組ブロックの第一延設部２及び第二延設部３が互いに絡むように係合しているので、土砂崩れ等に対しても崩れにくくなる。この例では、基体部１の折れ曲がり部分の内側に杭１００が打ち込まれているので、土砂崩れ等に対する強度を向上させることができる。
【００２９】
また、降雨や斜面を流れる水は基体部１の溝内に流れ込み、第二延設部３内に貯水されるようになる。第一延設部２では傾斜方向に開口しているので、横方向からの風雨の場合でも雨水を呼び込むことができる。こうして組ブロック内に流れ込んだ水は、満水となって溢れた場合でも下方に設置した組ブロック内に流れ込んで水路として機能するようになり、余剰水を効率よく排水することもできる。また、組ブロック内に貯水された水を組ブロックの周囲の樹木１０１に給水すれば、保水機能としての役割を果たすことも可能となる。
【００３０】
以上説明したように連鎖状構造物を法面保護用構造物として使用することができる。組ブロックのこうした保水機能に着目して連鎖状構造物Ｂを砂漠等の乾燥地に設置して砂防用構造物として使用することもできる。図６は、砂漠等の平地に連鎖状構造物Ｂを施工した例に関する模式図である。この例では、組ブロックを基体部１の第一基体部分１０及び第二延設部３が接地するように設置し、基体部１の第二基体部分１１が傾斜するようにして上述した連鎖状構造物と同様に各組ブロックを組み合わせて施工する。
【００３１】
各組ブロックの第二基体部分１１が砂地から上方に傾斜して設置されるので、砂嵐等による砂の移動を抑止して砂防機能を果たすようになる。また、組ブロック内部の空洞には雨水等を貯水することができ、吸水性ベルトを貯水された水に浸漬して外部に少量ずつ周囲の環境に給水することが可能となる。連鎖状構造物の周囲に樹木１０１等の苗木を植林しておけば、効率よく砂漠の緑化を行うことができる。また、ある程度樹木が成長した場合には組ブロックを解体して別の場所に移動することも簡単にできるため、組ブロックの再利用を行うことも可能である。
【００３２】
図７は、組ブロックを形成するための中型及び型枠に関する分解斜視図である。中型は、第一基体部分の内側に対応する第一型５０、第二基体部分の内側に対応する第二型５１、第一延設部の内側に対応する第三型５２及び第二延設部の内側に対応する第四型５３を組み付けて形成される。基体部と第一延設部との間の連通部分に対応する部分には、型枠を組み立てた後に第五型５４が挿入される。
【００３３】
中型の周囲に組み立てられる型枠は、基体部及び第二延設部の外側に対応する第一型枠６０及び第二型枠６１、第一延設部の外側に対応する第三型枠６２及び第四型枠６３、第二延設部の外側に対応する第五型枠６４及び第六型枠６５を組み立てて形成される。第一型枠６０及び第二型枠６１の下端部には、中型に密着する封止部材６０ａ及び６１ａが全長にわたって固定されている。第三型枠６２及び第四型枠６３は、止め木６６により中型５２との間に所定間隔空けて固定されている。
【００３４】
図８は、組ブロックを成形する工程に関する説明図である。予め組みブロックの形状に合せて鉄筋を組み立てておく（図８では鉄筋を省略している）。組み立てた鉄筋に沿って中型及び型枠を組み付ける。中型及び型枠は、組ブロックの厚さ分だけ間隔を空けて設置する。まず、第二延設部の底面に対応する第四型５３にコンクリートＣを流し込む（図８（ａ））。第四型５３の周囲にコンクリートＣを充填した後第二型５１、第一型５０及び第三型５２の周囲に順次コンクリートＣを流し込んで充填していく。そして、中型の上面にコンクリートＣを流し込んで所定の厚さに均して平面状にする（図８（ｂ））。流し込んだコンクリートＣが固化した後中型及び型枠を取り外して組みブロックが成形される（図８（ｃ））。
【００３５】
図９は、組ブロックの変形例に関する外観斜視図である。この例では、基体部１の溝１２の内底面に突出形成された堰１０ａ及び１１ａが設けられており、溝１２に流入した土砂が堰き止められるようにしている。また、基体部１の折れ曲がった部分の内側には、三角形状のリブ１３が設けられており、基体部１の強度を向上させている。第一延設部２及び第二延設部３の底面には矩形状の嵌合部２２及び３２が形成されている。
【００３６】
こうした構造の組ブロックの場合、図１０に示すように、嵌合部２２及び３２を下方の組ブロックの第一延設部２及び第二延設部３の上部に嵌め込んで固定すれば、組ブロックを積み上げた連鎖状構造物を構築することができる。
【００３７】
また、リブ１３が上下に一対設けられているので、第一延設部２及び第二延設部３を設置した状態でリブ１３の間に運搬車の台座を差し込んで持ち上げれば安定した状態で簡単に運搬することが可能となる。
【符号の説明】
【００３８】
１    基体部
２    第一延設部
３    第二延設部
10    第一基体部分
11    第二基体部分
12    溝
13    リブ
20    延設部分
21    溝
22    嵌合部
30    延設部分
31    有底空間
32    嵌合部
【図１】
2011017206.tif 000003
【図２】
2011017206.tif 000004
【図３】
2011017206.tif 000005
【図４】
2011017206.tif 000006
【図５】
2011017206.tif 000007
【図６】
2011017206.tif 000008
【図７】
2011017206.tif 000009
【図８】
2011017206.tif 000010
【図９】
2011017206.tif 000011
【図１０】
2011017206.tif 000012